(57)【要約】【課題】放射素子を含むアンテナを提供することを目的とする。【解決手段】円及び／又は直線偏波ＲＦ信号を受信及び／又は送信するアンテナは、放射素子、接地面、誘電体基板、及び給電線を含む。放射素子は、ガラスペイン上に配置される。放射素子は円及び／又は直線偏波を生成する十字型を形成する第１の脚及び第２の脚を有するスロットを画成する。十字型スロットは中心点を含む。接地面は放射素子に平行且つ放射素子から間隔が置かれて配置される。誘電体基板は放射素子と接地面との間に挟まれる。給電線は誘電体層内を延在し放射素子及び接地面に電磁気結合する。給電線はスロットの中心点の手前の遠位端にて終端する。つまり給電線は中心点を横断しない。アンテナはサイズがコンパクトでありガラスペインに対して略正角である。【選択図】図２
2006191574.tif 000002
【特許請求の範囲】
【請求項１】
一体にされるアンテナを有する窓であって、
非導電性ペインと、
十字型の外周を形成するよう互いに略垂直である第１の脚及び第２の脚を有するスロットを画成する、前記非導電性ペイン上に配置される放射素子と、
前記放射素子と実質的に平行に且つ前記放射素子から間隔が置かれて配置される接地面と、
前記接地面から前記放射素子を絶縁させるよう前記放射素子と前記接地面との間に挟まれる誘電体基板と、
前記誘電体基板内に配置される導電性給電線と、
を含む窓。
【請求項２】
前記スロットは中心点を有し、
前記誘電体基板は、端面を示し、
前記給電線は、遠位端を含む請求項１記載の窓。
【請求項３】
前記給電線は、前記誘電体基板の前記端面から前記誘電体基板内を延在し、前記スロットの前記中心点の手前の前記遠位端において終端する請求項２記載の窓。
【請求項４】
前記非導電性ペインは、自動車用ガラスとして更に決定される請求項４記載の窓。
【請求項５】
前記遠位端は、前記スロットの前記中心点から約１２ミリメートル未満において終端する請求項７記載の窓。
【請求項６】
前記遠位端は、前記スロットの前記中心点から約２ミリメートルにおいて終端する請求項７記載の窓。
【請求項７】
前記給電線は、矩形である請求項１記載の窓。
【請求項８】
前記給電線は、前記スロットの前記脚に対して約４５°の角度において配置される請求項９記載の窓。
【請求項９】
円偏波を生成するために、前記スロットの前記第１の脚は、第１の長さを有し、前記スロットの前記第２の脚は、前記第１の長さと同じではない第２の長さを有する請求項１記載の窓。
【請求項１０】
円偏波を生成するために、前記スロットの前記第１の脚は、第１の幅を有し、前記スロットの前記第２の脚は、前記第１の幅と同じではない第２の幅を有する請求項１記載の窓。
【請求項１１】
中心点を有する十字型の外周を形成するよう互いに略垂直である第１の脚及び第２の脚を有するスロットを画成する放射素子と、
前記放射素子と実質的に平行に且つ前記放射素子から間隔が置かれて配置される接地面と、
前記放射素子と前記接地面との間に挟まれ、端面を示す誘電体基板と、
遠位端を有し、前記誘電体基板の前記端面から前記誘電体基板内を延在し、前記スロットの前記中心点の手前の該遠位端において終端する導電性給電線と、
を有するアンテナ。
【請求項１２】
前記遠位端は、前記スロットの前記中心点から約１２ミリメートル未満において終端する請求項１１記載のアンテナ。
【請求項１３】
前記遠位端は、前記スロットの前記中心点から約２ミリメートルにおいて終端する請求項１２記載のアンテナ。
【請求項１４】
前記給電線は、矩形である請求項１１記載のアンテナ。
【請求項１５】
前記給電線は、前記スロットの前記脚に対して約４５°の角度において配置される請求項１４記載のアンテナ。
【請求項１６】
円偏波を生成するために、前記スロットの前記第１の脚は、第１の長さに延在し、前記スロットの前記第２の脚は、前記第１の長さと同じではない第２の長さに延在する請求項１１記載のアンテナ。
【請求項１７】
円偏波を生成するために、前記スロットの前記第１の脚は、第１の幅を有し、前記スロットの前記第２の脚は、前記第１の幅と同じではない第２の幅を有する請求項１１記載のアンテナ。
【請求項１８】
前記アンテナによって受信された信号を増幅するための、前記給電線に電気接続された増幅器を更に含む請求項１１記載のアンテナ。
【請求項１９】
非導電性ペインとの組み合わせにおいて、
前記放射素子は、前記非導電性ペイン上に配置される請求項１１記載のアンテナ。
【発明の詳細な説明】
【技術分野】
【０００１】
本発明は、アンテナに係り、特に、衛星からの円偏波された無線周波数（ＲＦ）信号を受信するためのプレーナスロット結合パッチアンテナに係る。
【背景技術】
【０００２】
車両は、車両の運転手に依然として可視性を可能にしながら車両の車内を囲むために、ガラスを長いこと使用してきた。自動車用のガラスは一般的に、焼き戻された（又は強化された）ガラス又は２つ以上のガラスペインをプラスチック中間層と共に接合することによって生成される合わせガラスである。中間層は、ガラスが割られてもガラスペインがばらばらにならないようにする。
【０００３】
最近、アンテナが、車両のガラスと一体にされるようになってきた。この一体化は、車両の空気力学的な性能を向上するだけでなく、車両に美学的に見て美しい、繋ぎ目のない外観を与えることを支援する。ＡＭ／ＦＭ地上波放送局によって生成される信号といった直線偏波ＲＦ信号を受信するためのアンテナの一体化は、当該産業における主たる焦点であった。しかし、焦点は、衛星デジタルオーディオラジオサービス（ＳＤＡＲＳ）プロバイダからのＲＦ信号を受信するためのアンテナの一体化に移行している。ＳＤＡＲＳプロバイダは、衛星を使用して、ＲＦ信号、特に、円偏波ＲＦ信号を地球に戻すようブロードキャストする。ＳＤＡＲＳプロバイダは、地球静止軌道又は傾斜した楕円形の星の軌道における複数の衛星を使用する。
【０００４】
当該技術において、円偏波ＲＦ信号を受信する様々なアンテナが周知である。そのようなアンテナの例は、デイ（Day）への特許文献１及びアンダーソン（Anderson）への特許文献２に開示される。
【０００５】
特許文献１は、ガラスペイン上に配置される放射素子を含むアンテナを開示する。ガラスペインは、車両の窓としての適用に適している。接地面が、放射素子に実質的に平行に且つ放射線素子から間隔が置かれて配置される。接地面は、互いに略垂直であり、十字型を形成する第１の脚及び第２の脚を有するスロットを画成する。放射素子と接地面は、誘電体層を挟む。給電線は、給電線が接地面から絶縁されるよう接地面に取り付けられた回路基板上に配置される。給電線は、スロットの中心点を横断する。特許文献１のアンテナは、ガラスペイン上の比較的大きい面積を占め、従って、車両の運転手の視界を遮ってしまう。
【０００６】
特許文献２は、放射素子を含むアンテナを開示する。この放射素子は、互いに略垂直であり、十字型を形成する第１の脚及び第２の脚を含むスロットを画成する。この第１の脚及び第２の脚は、アンテナに円偏波を与えるよう等しくない長さ及び／又は幅を有する。接地面は、第１の導電層と実質的に平行に且つ第１の導電層から間隔が置かれて配置される。放射素子及び接地面は、少なくとも１つの誘電体層を挟む。複数のビアが、第１の導電層を第２の導電層に電気接続する。給電線は、少なくとも１つの誘電体層内に配置され、導電層と実質的に平行である。給電線は、スロットの脚に対して４５°の角度に配置され、また、十字型の中心を横断する。特許文献２のアンテナは、車両の窓と一体にされていない。
【０００７】
ガラス、特に、石灰−ライム−シリカ自動車用ガラスの特性と、車両の窓として適用された場合のこのガラスの角度が付けられた配置は、アンテナの車両の窓への効果的な一体化に対する挑戦を与える。自動車製造業者は、車両の窓と一体にされるアンテナによって引き起こされる視覚的な妨害の量に関して厳しい要件を求める。今日まで、ＳＤＡＲＳ信号を受信するための自動車用窓と一体にされたアンテナの性能は、満足のいくものではない。従って、衛星からの円偏波ＲＦ信号の受信を支援するアンテナを導入する機会が残っている。特に、自動車窓と一体にされたときに、実質的な視覚的妨害をもたらさず、最適な受信を依然として維持する高性能アンテナの機会が依然として残っている。
【特許文献１】米国特許第５，６３３，６４５号
【特許文献２】米国特許第６，７７８，１４４号
【発明の開示】
【発明が解決しようとする課題】
【０００８】
本発明は、放射素子を含むアンテナを提供することを目的とする。
【課題を解決するための手段】
【０００９】
放射素子は、互いに略垂直である第１の脚及び第２の脚を有するスロットを画成する。スロットの第１及び第２の脚は、中心点を有する十字型の外周を形成する。接地面が、放射素子と実質的に平行に且つ放射素子から間隔が置かれて配置される。誘電体が、放射素子と接地面との間に挟まれ、また、端面を示す。遠位端を有する導電性給電線が、誘電体の端面から誘電体内を延在する。この給電線は、スロットの中心点の手前の遠位端において終端する。
【００１０】
本発明のアンテナの構造は、円偏波ＲＦ信号を受信するときの最良の性能特性を提供する。この特性は、高放射利得、低軸比、及び高放射効率を含む。本発明のアンテナは、車両の窓と一体にされ得る。その結果、アンテナは、窓に対して略等角であり、また、窓の比較的小さな面積を占めることによって比較的コンパクトであり、そして、依然として円偏波ＲＦ信号を受信するときの高い性能を提供する。従って、本発明のアンテナは、自動車製造業者及び車両の運転手にとって好適である。
【発明を実施するための最良の形態】
【００１１】
本発明の他の利点は、それらを添付図面と共に考慮したときに以下の詳細な説明を参照することによってより良好に理解することにより容易に理解できるであろう。
【００１２】
同様の番号が、幾つかの図面において同様の部分を示す図面を参照するに、アンテナを略１０において示す。好適な実施例では、アンテナ１０は、衛星から円偏波された無線周波数（ＲＦ）信号を受信するよう使用される。当業者は、アンテナ１０は、円偏波されたＲＦ信号を送信するためにも使用され得ることを理解する。具体的に、アンテナ１０の好適な実施例は、ＸＭ（商標）衛星ラジオ、又はＳＩＲＩＵＳ（商標）衛星ラジオといった衛星デジタルオーディオラジオサービス（ＳＤＡＲＳ）プロバイダによって生成される信号といった左向きに円偏波された（ＬＨＣＰ）ＲＦ信号を受信する。しかし、アンテナ１０は、右向きに円偏波された（ＲＨＣＰ）ＲＦ信号も受信し得ることを理解すべきである。更に、アンテナ１０は、直線偏波されたＲＦ信号も送受信するよう使用され得る。
【００１３】
図１を参照するに、アンテナ１０は、車両１４の窓１２と一体にされることが好適である。この窓１２は、後部窓（バックライト）、前部窓（ウィンドシールド）、又は車両１４の任意の他の窓であり得る。アンテナ１０は更に、例えば、無線受信機と共に組み立てられるか又は一体にされる等車両１４とは全く異なる他の状況においても実施され得る。窓１２は、少なくとも１つの非導電性ペイン１８を含む。「非導電性」という用語は、様々な電位の導体間に配置されたときに、印加された電圧と同調した電流がほんの僅かに又は無視できるほどで材料を流れることを可能にする絶縁体又は誘電体といった材料を意味する。一般的に、非導電性材料は、ナノジーメンス毎メートルのオーダの導電率を有する。
【００１４】
この好適な実施例では、非導電性ペイン１８は、少なくとも１つのガラスペイン１６として実施される。当然ながら、窓１２は、１つ以上のガラスペイン１６を含んでもよい。当業者は、自動車用の窓１２、特にウィンドシールドは、ポリビニールブチラール（ＰＶＢ）の層を挟む２つのガラスペイン１６を含み得ることを認識する。
【００１５】
ガラスペイン１６は、自動車用ガラスであることが好適であり、より好適には、石灰−ライム−シリカガラスである。ガラスペイン１６は、１．５乃至５．０ミリメートル（ｍｍ）の厚さを画成し、好適には、３．１ミリメートル（ｍｍ）である。ガラスペイン１６は、５乃至９の誘電率を有し、好適には、７である。しかし、当業者は、非導電性ペイン１８は、プラスチック、繊維ガラス、又は他の好適な非導電性材料から形成され得ることを認識する。
【００１６】
説明目的のためだけに、本発明は、以下において、自動車用ガラスのペイン１６である最も好適な非導電性ペイン１８のコンテキストにおいてのみ言及する。しかし、これは限定と解釈すべきではなく、というのは、上述したように、アンテナ１０は、ガラスペイン１６以外の非導電性ペイン１８と共に実施可能だからである。
【００１７】
図２及び３を参照するに、ガラスペイン１６は、アンテナ１０のレードームとして機能する。即ち、ガラスペイン１６は、以下に詳細に説明するように、車両１４の外に存在する湿気、風邪、埃等からアンテナ１０の他の構成要素を保護する。
【００１８】
好適な実施例のアンテナ１０は、ガラスペイン１６上に配置される放射素子２０を含む。放射素子２０は、当業者によって一般的に「パッチ」又は「パッチ素子」とも称される。放射素子２０は、導電性材料から形成される。放射素子２０は、ガラスペイン１６に直接配置され、当業者には周知である焼成技術によって硬化される導電性材料としての銀ペーストを含むことが好適である。或いは、放射素子２０は、接着剤を用いてガラスペインに接着される銅又はアルミニウムといった一枚の平らな金属を有することも可能である。
【００１９】
車両１４の窓１２上に実装されるとき、アンテナ１０のサイズは、車両１４の運転手に対する視覚的な妨害とならないようできるだけ小さいべきである。図２に示す好適な実施例では、放射素子２０は矩形であり、より好適には、正方形である。視覚的な妨害となってしまい得ることに対処するために、放射素子２０の各辺は４２ミリメートル（ｍｍ）未満であることが好適である。更に、放射素子２０の各辺は、３５ミリメートル（ｍｍ）乃至３７ミリメートル（ｍｍ）であることが好適である。従って、放射素子２０は、窓１２のコンパクトな約１，３００平方ミリメートル（ｍｍ２）を占めることになる。尚、図面は、縮尺がとられて描かれているわけではないことを理解すべきである。好適な実施例では、所望の周波数は約２，３３８メガヘルツ（ＭＨｚ）であり、これは、ＸＭ（商標）衛星ラジオによって使用される中心周波数に対応する。従って、放射素子２０の各辺は、２，３３８メガヘルツ（ＭＨｚ）における性能を最適にするためのサイズにされる。図４に示すような第１の別の実施例では、放射素子２０は、円形であり、４２ミリメートル（ｍｍ）未満の直径を有する。当然ながら、当業者は、アンテナ１０の同様の性能結果を達成するために様々な形状及びサイズの放射素子２０を実施し得ることを認識する。
【００２０】
図２を再び参照するに、放射素子２０は、互いに略垂直である第１の脚２４及び第２の脚２６を有するスロット２２を画成する。スロット２２は、中心点を有する十字型の外周を形成する。スロット２２は、放射素子２０において中心にされることが好適である。
【００２１】
この好適な実施例では、スロット２２の第１の脚２４は、第１の長さＬ１を有し、スロット２２の第２の脚２６は、第２の長さＬ２を有する。第１の長さＬ１は、第２の長さＬ２と同じではない。十字型スロット２２のこれらの等しくない長さＬ１、Ｌ２は、放射素子２０に、衛星からの円偏波されたＲＦ信号を受信するための円偏波を与える。当業者は、各脚２４、２６は更に、放射素子２０に、直線偏波ＲＦ信号を受信するための直線偏波を与えることを認識する。スロット２２の脚２４、２６の正確な長さＬ１、Ｌ２は、アンテナ１０の所望の周波数範囲、リターンロス、及び軸比によって決定される。好適な実施例の２，３３８メガヘルツ（ＭＨｚ）周波数における最適化のために、第１の長さＬ１は、１３．１ミリメートル（ｍｍ）乃至１５．１ミリメートル（ｍｍ）であり、第２の長さＬ２は、７．６ミリメートル（ｍｍ）乃至９．６ミリメートル（ｍｍ）である。各脚２４、２６は更に、１ミリメートル乃至３ミリメートルの幅を有することが好適である。当然ながら、脚２４、２６の他の寸法範囲も、アンテナ１０の所望される最適な動作周波数範囲、リターンロス、及び軸比に依存して、円偏波とアンテナ１０の適切な動作のために好適である。更に、当業者は、等しくない長さの脚２４、２６を有する十字型のスロット２２以外にも円偏波を生成する他の技術が実施し得ることを認識する。例えば、円偏波は、第１の幅Ｗ１を有する第１の脚２４と、第１の幅Ｗ１とは同じではない第２の幅Ｗ２を有する第２の脚２６とによって、同時に、第１の長さと第２の長さは実質的に同じで、生成され得る。
【００２２】
放射素子２０が矩形である好適な実施例では、スロット２０の各脚２４、２６は、放射素子２０の２つの辺と略平行である。当然ながら、放射素子２０の辺に対する脚２４、２６の他の向きが可能である。例えば、図５に示すような第２の別の実施例では、脚２４、２６は、放射素子２０の各辺について略４５°の角度にある。
【００２３】
図３を再び参照するに、アンテナ１０は更に、接地面２８を含む。接地面２８は、放射素子２０に対して実質的に平行に配置され且つ放射素子２０から間隔が置かれる。接地面２８は、導電性材料から形成される。この好適な実施例では、接地面２８は、矩形である。放射素子２０の寸法に合うように、接地面２８の各辺は、約３６ミリメートルであることが好適である。更に、放射素子２０と接地面２８は、互いに対して中心が合わされることが好適である。この同様の寸法と向きは、車両１４の運転手に対する追加の視覚的な妨害を回避する。しかし、当業者は、接地面２８は、別のサイズ及び形状を有し得ることを認識する。特に、接地面２８が放射素子２０の面積より大きい面積を有することが一般的である。
【００２４】
アンテナ１０は更に、誘電体基板３０を含む。誘電体基板３０は、放射素子２０と接地面２８との間に挟まれる。誘電体基板３０は、端面３１を示す。誘電体層３０は、非導電性材料から形成され、放射素子２０を接地面２８から絶縁する。従って、放射素子２０は及び接地面３８は、導電性材料によって電気接続されていない。当業者は、誘電体基板３０は、空気であり得ることを認識する。
【００２５】
この好適な実施例では、誘電体基板３０は、放射素子２０と接地面２８とに接触して配置される。当然ながら、誘電体基板３０は、放射素子２０と接地面２８との間で、放射素子２８及び／又は接地面２８と直接接触することなく挟まれてもよい。更に、誘電体基板３０は、誘電体基板３０の少なくとも一部分が放射素子２０と接地面２８との間にある限り放射素子２０及び接地面２８によって画成される面積を超えて延在してもよい。
【００２６】
誘電体基板３０は、約３．２ミリメートル（ｍｍ）の誘電体基板厚さを有することが好適である。更に、誘電体基板３０は、約２．６の誘電率を有することが好適である。しかし、当業者は、誘電体基板３０は、他の寸法及び／又は誘電率を有し得ることを認識する。更に、誘電体基板３０は、複数の層又は領域から構成されてもよい。これらの各層又は領域の誘電率は、互いに同一であるか、又は、互いから異なってもよい。
【００２７】
アンテナ１０は更に、導電性給電線３２を含む。給電線３２は、放射素子２０及び接地面３０に電磁気的に結合されることが好適である伝送デバイスである。「電磁的に結合」という用語は、当該技術において使用されるように、給電線３２は、放射素子２０と直接接触していないことを意味する。本発明の場合では、給電線３２は、放射素子２０及び接地面２８と略平行に延在する。しかし、当業者は、給電線３２は、放射素子２０に直接接続される、即ち、給電線３２は、放射素子２０と直接接触し得ることを理解する。
【００２８】
給電線３２は、誘電体基板３０の端面３１から誘電体基板３０内に延在する遠位端３４を含む。給電線３２は、スロット２２の中心点の手前の遠位端３４において終端する。遠位端３４は、スロット２２の中心点から１２ミリメートル（ｍｍ）未満で終端する。この好適な実施例では、給電線３２は、約４．５ミリメートル（ｍｍ）の幅を有する矩形である。更に、給電線３２は、アンテナ１０の円偏波を適切に生成するためにスロット２２の脚に対して約４５°の角度で配置されることが好適である。当業者は、アンテナ１０の所望の使用に依存して別の寸法の給電線３２を実施し得ることを認識する。更に、給電線３２の寸法は、チューニング目的のために変更され得る。即ち、アンテナ１０の入力インピーダンスをアンテナ１０に接続される伝送線と適合させるために変更され得る。
【００２９】
図６を参照するに、アンテナ１０は、アンテナ１０によって受信された信号を増幅するために、給電線３２に電気接続される増幅器３６も含み得る。増幅器３６は、アンテナ１０によって受信されたＲＦ信号を増幅し、増幅された信号を供給する。増幅器３６は、当業者には周知である低雑音増幅器（ＬＮＡ）３６であることが好適である。受信器３８は次に、増幅された信号を処理し、オーディオ信号をスピーカ４０に供給する。
【００３０】
上述したような実施例では、給電線３２は、スロット２２の中心点を越えて延在しない。このことは、アンテナ１０の例外の放射利得と他の性能特性への有意な寄与を与える。図７を参照するに、好適な実施例において実施されるようなアンテナ１０は、所望の周波数２，３３８メガヘルツ（ＭＨｚ）において６．７デシベル（ｄＢ）のＬＨＣＰ利得を与える。好適な実施例のアンテナ１０は更に、図８に示すように、２，３３８メガヘルツ（ＭＨｚ）において、０．８デシベル（ｄＢ）の軸比を与える。アンテナ１０は、２，３３８メガヘルツ（ＭＨｚ）において、２５．４デシベル（ｄＢ）のリターンロスを与える。この最良のリターンロスは、アンテナに、図９に示すように９９％の効率を与える。当業者は、アンテナ１０の効率は、増幅器３６に実際に渡されたアンテナによって受信されたＲＦ信号の比率に関連することを認識する。図示する効率曲線は、好適な実施例において実施されるようなアンテナ１０が、約３，５５０メガヘルツ（ＭＨｚ）において中心が合わされる第２の周波数帯域でも良好に動作することを明らかにする。上述した性能特性により示されるように、アンテナ１０は、２，３３８メガヘルツ（ＭＨｚ）において最高の円偏波を示すだけでなく、この周波数における直線偏波も与える。従って、アンテナ１０は、二重帯域アンテナの特性を示す。
【００３１】
図３に示すようなカバー４２が、接地面２８、放射素子２０、及び誘電体基板３０を閉じ込めるようガラスペイン１６に取り付けられ得る。カバー４２は、アンテナ１０を埃、汚れ、汚染物質、不測の破損等から保護し、更に、アンテナ１０に審美的な外観を与える。
【００３２】
好適な実施例のガラスペイン１６は、上述したように、７の誘電率を有することが好適である。従って、ガラスペイン１６は、アンテナ１０の性能特性に影響を与える。当業者には、アンテナ１０は、非導電性ペイン１８がガラスペイン１６以外の材料である別の実施例において同様の性能のために変更（チューニング）され得ることを理解する。
【００３３】
複数のアンテナ１０も、アンテナ１０のダイバーシティシステムの一部として実施され得る。例えば、好適な実施例の車両１４は、ウィンドシールド上に第１のアンテナ１０を、バックライト上に第２のアンテナを含み得る。これらのアンテナ１０はそれぞれ、車両１４内の受信器に電気接続される別個のＬＮＡ３６を有し得る。当業者は、ダイバーシティ受信を達成するために幾つかの処理技術を使用し得ることを認識する。１つのそのような技術では、衛星から最も強いＲＦ信号を現在受信するアンテナ１０を選択するためのスイッチが使用される。
【００３４】
当然ながら、上述の教示内容を鑑みて本発明の多くの修正及び変更が可能である。本発明は、特許請求の範囲に具体的に記載される以外でも実施され得る。
【図面の簡単な説明】
【００３５】
【図１】車両のガラスペインによって支持されるアンテナを有する車両を示す斜視図である。
【図２】給電線と、放射素子の辺と平行な脚を有する十字型スロットを画成する矩形の放射素子とを示すアンテナの好適な実施例を示す平面図である。
【図３】ガラスペイン、放射素子、誘電体、及び接地面を示す図２における線３−３についてのアンテナの好適な実施例を示す断面側面図である。
【図４】十字型スロットを画成する円形の放射素子と、給電線とを示すアンテナの第１の別の実施例を示す平面図である。
【図５】放射素子の辺に対して４５°の角度にその脚がある十字型スロットを画成する矩形の放射素子と、給電線とを示すアンテナの第２の別の実施例を示す平面図である。
【図６】増幅器に接続された給電線と、受信器に接続された増幅器を有するアンテナを示すブロック図である。
【図７】アンテナの好適な実施例について左円偏波信号の利得に対する周波数を示すグラフである。
【図８】アンテナの好適な実施例について軸比に対する周波数を示すグラフである。
【図９】アンテナの好適な実施例について放射効率に対する周波数を示すグラフである。
【符号の説明】
【００３６】
１０  アンテナ
１２  窓
１４  車両
１６  ガラスペイン
１８  非導電性ペイン
２０  放射素子
２２  スロット
２４  第１の脚
２６  第２の脚
２８  接地面
３０  誘電体基板
３１  端面
３２  給電線
３４  給電線の遠端
３６  増幅器
３８  受信器
４０  スピーカ
４２  カバー
【図１】
2006191574.tif 000003
【図２】
2006191574.tif 000004
【図３】
2006191574.tif 000005
【図４】
2006191574.tif 000006
【図５】
2006191574.tif 000007
【図６】
2006191574.tif 000008
【図７】
2006191574.tif 000009
【図８】
2006191574.tif 000010
【図９】
2006191574.tif 000011
【手続補正書】
【提出日】平成18年2月7日(2006.2.7)
【手続補正１】
【補正対象書類名】特許請求の範囲
【補正対象項目名】全文
【補正方法】変更
【補正の内容】
【特許請求の範囲】
【請求項１】
一体にされるアンテナを有する窓であって、
非導電性ペインと、
十字型の外周を形成するよう互いに略垂直である第１の脚及び第２の脚を有するスロットを画成する、前記非導電性ペイン上に配置される放射素子と、
前記放射素子と実質的に平行に且つ前記放射素子から間隔が置かれて配置される接地面と、
前記接地面から前記放射素子を絶縁させるよう前記放射素子と前記接地面との間に挟まれる誘電体基板と、
前記誘電体基板内に配置される導電性給電線と、
を含む窓。
【請求項２】
前記スロットは中心点を有し、
前記誘電体基板は、端面を示し、
前記給電線は、遠位端を含む請求項１記載の窓。
【請求項３】
前記給電線は、前記誘電体基板の前記端面から前記誘電体基板内を延在し、前記スロットの前記中心点の手前の前記遠位端において終端する請求項２記載の窓。
【請求項４】
前記非導電性ペインは、自動車用ガラスとして更に決定される請求項１記載の窓。
【請求項５】
前記遠位端は、前記スロットの前記中心点から約１２ミリメートル未満において終端する請求項２記載の窓。
【請求項６】
前記遠位端は、前記スロットの前記中心点から約２ミリメートルにおいて終端する請求項５記載の窓。
【請求項７】
前記給電線は、矩形である請求項１記載の窓。
【請求項８】
前記給電線は、前記スロットの前記脚に対して約４５°の角度において配置される請求項７記載の窓。
【請求項９】
円偏波を生成するために、前記スロットの前記第１の脚は、第１の長さを有し、前記スロットの前記第２の脚は、前記第１の長さと同じではない第２の長さを有する請求項１記載の窓。
【請求項１０】
円偏波を生成するために、前記スロットの前記第１の脚は、第１の幅を有し、前記スロットの前記第２の脚は、前記第１の幅と同じではない第２の幅を有する請求項１記載の窓。
【請求項１１】
中心点を有する十字型の外周を形成するよう互いに略垂直である第１の脚及び第２の脚を有するスロットを画成する放射素子と、
前記放射素子と実質的に平行に且つ前記放射素子から間隔が置かれて配置される接地面と、
前記放射素子と前記接地面との間に挟まれ、端面を示す誘電体基板と、
遠位端を有し、前記誘電体基板の前記端面から前記誘電体基板内を延在し、前記スロットの前記中心点の手前の該遠位端において終端する導電性給電線と、
を有するアンテナ。
【請求項１２】
前記遠位端は、前記スロットの前記中心点から約１２ミリメートル未満において終端する請求項１１記載のアンテナ。
【請求項１３】
前記遠位端は、前記スロットの前記中心点から約２ミリメートルにおいて終端する請求項１２記載のアンテナ。
【請求項１４】
前記給電線は、矩形である請求項１１記載のアンテナ。
【請求項１５】
前記給電線は、前記スロットの前記脚に対して約４５°の角度において配置される請求項１４記載のアンテナ。
【請求項１６】
円偏波を生成するために、前記スロットの前記第１の脚は、第１の長さに延在し、前記スロットの前記第２の脚は、前記第１の長さと同じではない第２の長さに延在する請求項１１記載のアンテナ。
【請求項１７】
円偏波を生成するために、前記スロットの前記第１の脚は、第１の幅を有し、前記スロットの前記第２の脚は、前記第１の幅と同じではない第２の幅を有する請求項１１記載のアンテナ。
【請求項１８】
前記アンテナによって受信された信号を増幅するための、前記給電線に電気接続された増幅器を更に含む請求項１１記載のアンテナ。
【請求項１９】
非導電性ペインとの組み合わせにおいて、
前記放射素子は、前記非導電性ペイン上に配置される請求項１１記載のアンテナ。